(57)【要約】【課題】刊行物に未掲載の写真データを閲覧又は取得可能とする。【解決手段】刊行物に未掲載の写真データを保持する第１の記憶部と、該刊行物の所定の記事に関連する未掲載の写真データに関する情報を含む識別表示であって、所定の記事の表示欄内に付された識別表示を読み取った第１のユーザの端末からのアクセスを制御する制御部と、を備える情報処理システムである。制御部は、第１のユーザの端末からのアクセスについて、所定の記憶部から第１のユーザに関するユーザ情報を取得し、当該ユーザ情報に基づいて、該第１のユーザの端末による所定の記事に関連する未掲載の写真データの閲覧又は取得の少なくとも一方の可否を判定する。【選択図】図１
2020119208.tif 000002
【特許請求の範囲】
【請求項１】
刊行物に未掲載の写真データを保持する第１の記憶部と、
該刊行物の所定の記事に関連する未掲載の写真データに関する情報を含む識別表示であって、前記所定の記事の表示欄内に付された識別表示を読み取った第１のユーザの端末からのアクセスを制御する制御部と、
を備え、
前記制御部は、前記アクセスについて、所定の記憶部から前記第１のユーザに関するユーザ情報を取得し、前記ユーザ情報に基づいて、該第１のユーザの端末による前記所定の記事に関連する未掲載の写真データの閲覧又は取得の少なくとも一方の可否を判定する、情報処理システム。
【請求項２】
前記制御部は、
前記ユーザ情報としてポイント数を取得し、
前記第１のユーザのポイント数が第１の閾値以上である場合に、前記第１のユーザの端末による前記所定の記事に関連する未掲載の写真データの閲覧を許可し、
前記第１のユーザのポイント数が前記第１の閾値以上である第２の閾値以上である場合に、前記第１のユーザの端末による前記所定の記事に関連する未掲載の写真データの取得を許可する、
請求項１に記載の情報処理システム。
【請求項３】
前記ポイント数は、ユーザによる個人情報の前記所定の記憶部への登録状況に応じて決定される、
請求項２に記載の情報処理システム。
【請求項４】
前記ポイント数は、前記個人情報としてのユーザの顔写真データが前記所定の記憶部に登録されている場合により高くなる、
請求項３に記載の情報処理システム。
【請求項５】
前記ポイント数は、ユーザが他のユーザと相互に認証している場合により高くなる、
請求項２から４のいずれか一項に記載の情報処理システム。
【請求項６】
前記ユーザ情報は、ユーザの住所の情報を含み、
前記制御部は、前記第１のユーザの住所と前記所定の記事に関連する地域とを比較し、比較した結果に基づいて、前記第１のユーザの端末による該所定の記事に関連する未掲載の写真データの閲覧又は取得の少なくとも一方の可否を判定する、
請求項１に記載の情報処理システム。
【請求項７】
前記制御部は、前記第１のユーザの住所が前記所定の記事に関連する地域内に存在する場合に、該第１のユーザの端末による該所定の記事に関連する未掲載の写真データの閲覧又は取得の少なくとも一方の許可を判定する、
請求項６に記載の情報処理システム。
【請求項８】
前記制御部は、前記第１のユーザによる前記所定の記事に関連する未掲載の写真データの取得が許可された場合に、前記未掲載の写真データを頒布不可に設定する、
請求項１から７のいずれか一項に記載の情報処理システム。
【請求項９】
前記制御部は、前記第１のユーザによる取得が許可された未掲載の写真データを、該第１のユーザと相互に認証している第２のユーザに送信可能とする、
請求項８に記載の情報処理システム。
【請求項１０】
前記制御部は、前記第１のユーザによる前記所定の記事に関連する未掲載の写真データの取得が許可された場合に、前記取得された写真データについて、前記第１のユーザの識別情報に関する文字又は図形の透かしを設定する、
請求項２から８のいずれか一項に記載の情報処理システム。
【請求項１１】
刊行物の所定の記事に関連する未掲載の写真データに関する情報を含む識別表示であって、前記所定の記事の表示欄内に付された識別表示を読み取った第１のユーザの端末からのアクセスを制御する制御部、
を備え、
前記制御部は、前記アクセスについて、前記第１のユーザに関するユーザ情報を取得し、前記ユーザ情報に基づいて、該第１のユーザの端末による、第１の記憶部に格納されている前記所定の記事に関連する未掲載の写真データの閲覧又は取得の少なくとも一方の可否を判定する、
情報処理装置。
【請求項１２】
刊行物の所定の記事に関連する未掲載の写真データに関する情報を含む識別表示であって、前記所定の記事の表示欄内に付された識別表示を読み取った第１のユーザの端末からのアクセスを制御する、
情報処理方法であって、
前記アクセスについて、前記第１のユーザに関するユーザ情報を取得し、
前記ユーザ情報に基づいて、該第１のユーザの端末による、第１の記憶部に格納されている前記所定の記事に関連する未掲載の写真データの閲覧又は取得の少なくとも一方の可否を判定する、
情報処理方法。
【発明の詳細な説明】
【技術分野】
【０００１】
本発明は、刊行物の記事に関連付く写真データを閲覧又は取得可能とする情報処理システム、情報処理装置、及び、情報処理方法に関する。
【背景技術】
【０００２】
刊行物の紙面上に、記事又は広告に関する、音声データ、画像データ、テキストデータを含むコードイメージが印刷されており、当該コードイメージを読み取り装置で読み取ることで、当該音声データ、画像データ、テキストデータを取得可能とする刊行物が開示されている（例えば、特許文献１、特許文献２）。
【先行技術文献】
【特許文献】
【０００３】
【特許文献１】特開２００１−１８４２９１号公報
【特許文献２】特開２００３−２０８３８１号公報
【発明の概要】
【発明が解決しようとする課題】
【０００４】
刊行物に掲載される写真は、例えば、当該刊行物の出版元のスタッフ（例えば、当該出版元と契約するカメラマン）によって当該刊行物に掲載するために撮影されることが多く、当該出版元が保持及び管理していることが多い。しかしながら、このようにスタッフによって撮影された写真のうち、刊行物に掲載される写真はごく一部であり、それ以外の未掲載の写真は、そのほとんどが公開されることはない。しかしながら、記事の内容によっては、刊行物の読者から、当該未掲載の写真を閲覧又は取得したい、という要望がある。
【０００５】
本発明では、刊行物に未掲載の写真データを閲覧又は取得可能とする情報処理システム、情報処理装置、及び、情報処理方法を提供することを課題とする。
【課題を解決するための手段】
【０００６】
本発明の態様の一つは、
刊行物に未掲載の写真データを保持する第１の記憶部と、
該刊行物の所定の記事に関連する未掲載の写真データに関する情報を含む識別表示であって、前記所定の記事の表示欄内に付された識別表示を読み取った第１のユーザの端末からのアクセスを制御する制御部と、
を備え、
前記制御部は、前記アクセスについて、所定の記憶部から前記第１のユーザに関するユーザ情報を取得し、前記ユーザ情報に基づいて、該第１のユーザの端末による前記所定の記事に関連する未掲載の写真データの閲覧又は取得の少なくとも一方の可否を判定する、情報処理システムである。
【０００７】
本発明の他の態様の一つは、
刊行物の所定の記事に関連する未掲載の写真データに関する情報を含む識別表示であって、前記所定の記事の表示欄内に付された識別表示を読み取った第１のユーザの端末からのアクセスを制御する制御部、
を備え、
前記制御部は、前記アクセスについて、前記第１のユーザに関するユーザ情報を取得し、前記ユーザ情報に基づいて、該第１のユーザの端末による、第１の記憶部に格納されている前記所定の記事に関連する未掲載の写真データの閲覧又は取得の少なくとも一方の可
否を判定する、
情報処理装置である。
【０００８】
本発明の他の態様の一つは、
刊行物の所定の記事に関連する未掲載の写真データに関する情報を含む識別表示であって、前記所定の記事の表示欄内に付された識別表示を読み取った第１のユーザの端末からのアクセスを制御する、
情報処理方法であって、
前記アクセスについて、前記第１のユーザに関するユーザ情報を取得し、
前記ユーザ情報に基づいて、該第１のユーザの端末による、第１の記憶部に格納されている前記所定の記事に関連する未掲載の写真データの閲覧又は取得の少なくとも一方の可否を判定する、
情報処理方法である。
【発明の効果】
【０００９】
本発明によれば、刊行物に未掲載の写真データを閲覧又は取得可能とすることができる。
【図面の簡単な説明】
【００１０】
【図１】図１は、第１実施形態に係る新聞写真閲覧システムのシステム構成の一例を示す図である。
【図２】図２は、第１実施形態に係る新聞紙面の構成の一例を示す図である。
【図３】図３は、第１実施形態に係る、ウェブサーバとユーザ端末とのハードウェア構成の一例を示す図である。
【図４】図４は、第１実施形態に係る、ウェブサーバ、ユーザ端末、及び、新聞社サーバの機能構成の一例を示す図である。
【図５】図５は、購入された写真データの加工の一例を示す図である。
【図６】図６は、ユーザ情報ＤＢに保持されるポイント情報テーブルの一例である。
【図７】図７は、第１実施形態に係るウェブサーバの、閲覧要求に対する閲覧制御処理のフローチャートである。
【図８】図８は、第１実施形態に係るウェブサーバの、写真データの転送要求に対する転送制御処理のフローチャートである。
【図９】図９は、変形例に係るウェブサーバの、閲覧要求に対する閲覧制御処理のフローチャートである。
【発明を実施するための形態】
【００１１】
本発明の態様の一つは、刊行物に未掲載の写真データを保持する第１の記憶部と、該刊行物の所定の記事に関連する未掲載の写真データに関する情報を含む識別表示であって、所定の記事の表示欄内に付された識別表示を読み取った第１のユーザの端末からのアクセスを制御する制御部と、を備える情報処理システムである。制御部は、第１のユーザの端末からのアクセスについて、所定の記憶部から第１のユーザに関するユーザ情報を取得し、当該ユーザ情報に基づいて、該第１のユーザの端末による所定の記事に関連する未掲載の写真データの閲覧又は取得の少なくとも一方の可否を判定する。
【００１２】
刊行物は、例えば、新聞、雑誌であり、定期的に刊行されるもの、不定期に刊行されるものを含む。識別表示は、例えば、一次元コード、二次元コードである。ただし、識別表示は、これらに限定されない。一次元コードの一例には、バーコードがある。二次元コードの一例には、ＱＲコード（登録商標）がある。ただし、一次元コード、二次元コードはこれらに限定されない。写真データの取得には、例えば、ダウンロード、購入、等の行為も含まれる。また、所定の記憶部は、情報処理システムに備えられる記憶部であってもよ
いし、情報処理システム以外のシステムに備えられる記憶部であってもよい。
【００１３】
本発明の態様の一つによれば、第１のユーザの端末が、刊行物の記事の表示欄内に付された識別表示を読み取り、情報処理システムにアクセスすることで、第１のユーザのユーザ情報に基づいて、当該記事に関連する未掲載の写真データの閲覧又は取得の少なくとも一方の可否の判定がなされる。これによって、第１のユーザは、所定の記事に関連する未掲載の写真データを閲覧又は取得することができる。また、第１のユーザのユーザ情報によっては、第１のユーザは、所定の記事に関連する未掲載の写真データの閲覧又は取得を拒否されることもあり、誰にでも所定の記事に関連する未掲載の写真データが閲覧又は取得されるわけではない。これによって、所定の記事に関連する未掲載の写真データの閲覧又は取得可能なユーザを制限することができる。また、例えば、写真データに人物が写っている場合には、当該人物のプライバシーを守ることができる。
【００１４】
また、本発明の態様の一つでは、制御部は、ユーザ情報としてポイント数を取得し、第１のユーザのポイント数が第１の閾値以上である場合に、第１のユーザの端末による所定の記事に関連する未掲載の写真データの閲覧を許可し、第１のユーザのポイント数が第２の閾値以上である場合に、第１のユーザの端末による所定の記事に関連する未掲載の写真データの取得を許可するようにしてもよい。第２の閾値は第１の閾値以上の値である。
【００１５】
また、本発明の態様の一つでは、ポイント数は、ユーザによる個人情報の所定の記憶部への登録状況に応じて決定されてもよい。また、ポイント数は、個人情報としてのユーザの顔写真データが所定の記憶部に登録されている場合により高くなってもよい。ポイント数は、ユーザが他のユーザと相互に認証している場合により高くなってもよい。
【００１６】
例えば、個人情報、他のユーザとの相互認証の情報は、ユーザを特定可能な情報の一例である。ユーザを特定可能な情報の登録が少ないことは、例えば、写真データの悪用等を意図するなど、当該ユーザが容易に特定されたくない意思を有していることをほのめかしている。したがって、本発明の態様の一つによれば、例えば、悪意を持ったユーザはポイント数が低いことが多く、当該悪意を持ったユーザが新聞に未掲載の写真データを閲覧及び取得することを抑制することができる可能性がある。
【００１７】
また、本発明の態様の一つでは、ユーザ情報は、ユーザの住所の情報を含み、制御部は、第１のユーザの住所と所定の記事に関連する地域とを比較し、比較した結果に基づいて、第１のユーザの端末による該所定の記事に関連する未掲載の写真データの閲覧又は取得の少なくとも一方の可否を判定するようにしてもよい。また、制御部は、第１のユーザの住所が所定の記事に関連する地域内に存在する場合に、該第１のユーザの端末による該所定の記事に関連する未掲載の写真データの閲覧又は取得の少なくとも一方の許可を判定するようにしてもよい。
【００１８】
例えば、記事が特定の地域に関連している場合には、当該記事の未掲載の写真データを閲覧したい又は購入したいというユーザも、当該特定の地域に居住するユーザに集中する可能性が高い。一方で、記事に関連しない地域に居住するユーザが当該記事の未掲載の写真データを閲覧したい又は購入したいという場合には、当該ユーザが悪意を持っているユーザである可能性がある。したがって、当該記事の未掲載の写真データの閲覧又は購入の可否を、記事に関連のある地域と第１のユーザの住所とを比較し、当該比較結果に基づいて判定することによって、悪意を持ったユーザが新聞に未掲載の写真データを閲覧及び取得することを抑制することができる。
【００１９】
また、本発明の態様の一つでは、制御部は、第１のユーザによる所定の記事に関連する未掲載の写真データの取得を許可した場合に、当該未掲載の写真データを頒布不可に設定
するようにしてもよい。これによって、第１のユーザによって当該写真データが不特定多数に頒布されることを抑制できる。例えば、写真データに有名人でない人物が写っている場合には、当該人物のプライバシーを守ることができる。
【００２０】
また、本発明の態様の一つでは、制御部は、第１のユーザによる取得が許可された未掲載の写真データを、該第１のユーザと相互に認証している第２のユーザに送信可能に設定するようにしてもよい。写真データによっては、第１のユーザは他人に見せたい又は贈りたい場合がある。また、第１のユーザが信用する他人であれば、写真データが悪用される可能性は低い。第１のユーザと相互に認証している第２のユーザであれば、第１のユーザが信用している人物であることがある程度保証される。したがって、本発明の態様の一つによれば、頒布不可に設定されている写真データでも、第１のユーザと相互に認証している第２のユーザに閲覧又は取得可能とすることができる。
【００２１】
また、本発明の態様の一つでは、制御部は、第１のユーザによる所定の記事に関連する未掲載の写真データの取得が許可された場合に、当該写真データについて、第１のユーザの識別情報に関する文字又は図形の透かしを設定するようにしてもよい。これによって、例えば、第１のユーザによって取得された写真データが、ＳＮＳ上等で不正に公開された場合に、第１のユーザを特定しやすくなる。これによって、第１のユーザが、取得した写真データを悪用しようとすることを抑制することができる。
【００２２】
本発明の態様は、例えば、情報処理装置及び情報処理方法の側面から捉えることもできる。情報処理装置は、上記制御部を備える。情報処理方法は、刊行物の所定の記事に関連する未掲載の写真データに関する情報を含む識別表示であって、所定の記事の表示欄内に付された識別表示を読み取った第１のユーザの端末からのアクセスを制御することを含み、第１のユーザの端末からのアクセスについて、第１のユーザに関するユーザ情報を取得し、ユーザ情報に基づいて、該第１のユーザの端末による、第１の記憶部に格納されている所定の記事に関連する未掲載の写真データの閲覧又は取得の少なくとも一方の可否を判定することを含む。なお、上述までの情報処理方法に関して開示された技術的思想は、技術的な齟齬が生じない範囲で当該情報処理装置及び情報処理方法にも適用できる。
【００２３】
以下、図面に基づいて、本発明の実施の形態を説明する。以下の実施形態の構成は例示であり、本発明は実施形態の構成に限定されない。
【００２４】
＜第１実施形態＞
図１は、第１実施形態に係る新聞写真閲覧システム１００のシステム構成の一例を示す図である。新聞写真閲覧システム１００は、新聞に掲載された写真データ及び記事に関連付く未掲載の写真データを閲覧及び購入可能とするシステムである。新聞写真閲覧システム１００は、「情報処理システム」の一例である。新聞は、「刊行物」の一例である。
【００２５】
新聞写真閲覧システム１００は、例えば、ウェブサーバ１、ユーザ端末２、新聞社サーバ３、新聞社サーバ３の管理者である新聞社が発行する新聞５を含む。新聞社サーバ３は、新聞の発行者であって、当該新聞に掲載された記事に関する情報、掲載された写真データ及び記事に関連付く未掲載の写真データを保持する。ウェブサーバ１は、新聞社サーバ３が保持する写真データを閲覧するウェブページをユーザ端末２に提供する。ウェブサーバ１は、例えば、インターネット等の公衆回線網に接続している。また、新聞社サーバ３とウェブサーバ１とは、例えば、物理的又は仮想的な専用回線によって接続されている。
【００２６】
ユーザ端末２は、例えば、所定の無線通信によってアクセスネットワークへ接続し、当該アクセスネットワークを介して、インターネット等の公衆回線網に接続し、ウェブサーバ１へアクセス可能である。
【００２７】
新聞５は、記事を表示する表示欄を複数含む。表示欄には、記事を示す文章が含まれている。また、いくつかの表示欄には関連する写真も掲載されている。写真が掲載されている表示欄には、当該表示欄に記載されている記事に関連する写真データを閲覧するためのウェブページのＵＲＬ（Uniform Resource Locator）を含む、例えば、ＱＲコードのようなコードが添付されている。記事に関連する写真データを閲覧するためのウェブページを、以降、閲覧ページと称する。また、記事に関連する写真データと称する場合には、当該記事とともに新聞５に掲載された写真のデータ、当該記事に関連する未掲載の写真データが含まれる。コードは、「識別表示」の一例である。閲覧ページのＵＲＬは、「刊行物の所定の記事に関連する未掲載の写真データに関する情報」の一例である。
【００２８】
ユーザ端末２にはカメラが搭載されており、ユーザ端末２は、新聞５の紙面上のコードを当該カメラで読み取り、解析することで、記事に関連する写真データの閲覧ページへのＵＲＬを取得し、当該ＵＲＬへアクセスすることで、当該閲覧ページにアクセスすることができる。
【００２９】
例えば、新聞に、所定のイベントに関する記事と写真とが掲載された場合、当該記事を見た当該イベントの参加者又は参加者に近しい人物から、当該イベントにおいて撮影された未掲載の写真を含む写真データを閲覧又は購入したいという要望が発生することがある。この場合、当該要望を有する人物は、当該記事の表示欄に含まれるＱＲコードをユーザ端末２で読み取ることで、当該イベントの写真データの閲覧ページにアクセスでき、当該イベントの写真データを閲覧又は購入することができるようになる。例えば、イベントは、学校や地域の体育大会、演奏会、インタビュー、時事等である。
【００３０】
第１実施形態では、新聞５の紙面上に記載されたコードをユーザ端末２によって読み取ることで、当該コードが記載された表示欄の記事に関連する写真データの閲覧及び購入が可能となる。記事に関連する写真データには、新聞に未掲載の写真データも含まれる。これによって、新聞５とユーザ端末２とが揃っていれば、より簡易に写真データを閲覧及び購入することができる。
【００３１】
一方、未掲載の写真には、一般への公開を許可していない人物が写り込んでいる可能性がある。このような写真については、当該人物のプライバシーに配慮する必要がある。また、不特定多数の人に写真データを閲覧及び購入可能にしてしまうと、悪用されるおそれもある。
【００３２】
そこで、第１実施形態では、ウェブサーバ１は、ユーザ端末２からの所定の記事に関連する写真データの閲覧ページへのアクセスについて、当該所定の記事に関連する写真データの閲覧又は購入の可否を判定する。当該閲覧又は購入の可否は、例えば、ユーザ端末２のユーザに関する情報に基づいて判定される。第１実施形態では、当該閲覧又は購入の可否は、ユーザに対する信用度を示すポイントに基づいて行われる。ユーザに対する信用度を示すポイントは、第１実施形態では、当該新聞写真閲覧システム１００が提供するサービスへのユーザの個人情報の登録状況に応じて算出される。
【００３３】
第１実施形態では、ユーザに対する信用度を示すポイントに基づいて、所定の記事に関する写真データの閲覧又は購入可能となるユーザが限定される。これによって、写真データが悪用されることを抑制することができる。
【００３４】
＜新聞紙面の構成＞
図２は、第１実施形態に係る新聞紙面の構成の一例を示す図である。新聞５の一紙面には、１又は複数の表示欄が含まれている。表示欄は、１つのイベントについて伝える文章
（記事）と、画像（写真を含む）がある場合には画像が配置される欄である。
【００３５】
図２では、表示欄５１が示されている。表示欄５１には、記事（文章）５２、記事に関連する写真５３、ＱＲコード５４が含まれている。ＱＲコード５４には、記事５２に関連する写真データの閲覧ページのＵＲＬが含まれている。したがって、ユーザ端末２に備えられるカメラでＱＲコード５４を撮像し、ユーザ端末２が所定のアプリケーションを用いてＱＲコード５４を解析すると、当該閲覧ページのＵＲＬが取得される。取得されたＵＲＬは、例えば、ユーザ端末２のディスプレイに表示される。当該ＵＲＬによって示される閲覧ページは、第１実施形態では、該当する記事に関する写真データ（掲載済み、未掲載含む）専用の閲覧ページである。したがって、当該ＵＲＬには、記事を識別するための記事識別番号が含まれている。
【００３６】
なお、表示欄には、必ずしも画像（写真を含む）が含まれるとは限らない。第１実施形態では、表示欄に画像が含まれない場合には、ＱＲコードも含まれない。ただし、これに限定されず、表示欄に画像が含まれていなくとも、当該記事に関連する写真データが存在する場合には、当該表示欄にＱＲコードが含まれることもある。
【００３７】
ＱＲコードの表示欄における位置は、図２に示される位置に限定されない。例えば、ＱＲコードは、表示欄に含まれる写真の周囲又は内部に配置されてもよい。また、表示欄には、複数の写真が含まれてもよく、表示欄に含まれる写真の数は限定されない。
【００３８】
＜装置の構成＞
図３は、第１実施形態に係る、ウェブサーバ１とユーザ端末２とのハードウェア構成の一例を示す図である。ウェブサーバ１は、例えば、専用のコンピュータ、又は、汎用のコンピュータである。ウェブサーバ１は、ハードウェア構成要素として、ＣＰＵ（Central Processing Unit）１０１、メモリ１０２、外部記憶装置１０３、通信部１０４を備える
。これらのハードウェア構成要素は、互いにバスで電気的に接続されている。ウェブサーバ１は、「情報処理装置」の一例である。
【００３９】
外部記憶装置１０３は、様々なプログラムや、各プログラムの実行に際してＣＰＵ  １０１が使用するデータを格納する。外部記憶装置１０３に保持されるプログラムには、例えば、オペレーティングシステム（ＯＳ）、写真閲覧制御プログラム、その他様々なアプリケーションプログラムを保持する。写真閲覧制御プログラムは、例えば、新聞記事に関連する写真データへのユーザ端末２からのアクセスを制御するためのプログラムである。外部記憶装置１０３は、例えば、ＥＰＲＯＭ（Erasable Programmable ROM）やハードデ
ィスクドライブ（Hard Disk Drive）である。
【００４０】
メモリ１０２は、ＣＰＵ  １０１に、外部記憶装置１０３に格納されているプログラムをロードする記憶領域および作業領域を提供したり、バッファとして用いられたりする記憶装置である。メモリ１０２は、例えば、ＲＯＭ（Read Only Memory）、ＲＡＭ(Random Access Memory)のような半導体メモリを含む。
【００４１】
ＣＰＵ  １０１は、外部記憶装置１０３に保持されたＯＳや様々なアプリケーションプログラムをメモリ１０２にロードして実行することによって、様々な処理を実行する。ＣＰＵ  １０１は、１つに限られず、複数備えられてもよい。ＣＰＵ  １０１は、「情報処理装置」の「制御部」の一例である。
【００４２】
通信部１０４は、ネットワークとの情報の入出力を行うインタフェースである。通信部１０４は、有線のネットワークと接続するインタフェースであってもよいし、無線のネットワークと接続するインタフェースであってもよい。通信部１０４は、例えば、ＮＩＣ（
Network Interface Card）等である。
【００４３】
なお、図３に示されるウェブサーバ１のハードウェア構成は、一例であり、上記に限られず、実施の形態に応じて適宜構成要素の省略や置換、追加が可能である。例えば、ウェブサーバ１は、可搬記録媒体駆動装置を備え、可搬記録媒体に記録されたプログラムを実行してもよい。可搬記録媒体は、例えば、ＳＤカード、ｍｉｎｉＳＤカード、ｍｉｃｒｏＳＤカード、ＵＳＢ（Universal Serial Bus）フラッシュメモリ、ＣＤ（Compact Disc）、ＤＶＤ(Digital Versatile Disc)、Ｂｌｕ−ｒａｙ（登録商標）  Ｄｉｓｃ、又はフラッシュメモリカードのような記録媒体である。また、例えば、ウェブサーバ１は、入力装置及び出力装置を備えてもよい。入力装置は、例えば、キーボード、マウス等である。出力装置は、例えば、ディスプレイ等である。
【００４４】
新聞社サーバ３のハードウェア構成は、ウェブサーバ１と同様であるため、図３では省略されている。新聞社サーバ３は、ハードウェア構成として、例えば、ＣＰＵ、メモリ、外部記憶装置、通信部を備え、ＣＰＵがメモリに展開されたプログラムを実行することで所定の処理が実現される。
【００４５】
次に、ユーザ端末２は、例えば、スマートフォン、タブレット端末等である。図３では、ユーザ端末２がスマートフォンである場合のハードウェア構成が示されている。ユーザ端末２は、ハードウェア構成として、ＣＰＵ  ２０１、メモリ２０２、外部記憶装置２０３、無線通信部２０４、カメラ２０５、タッチパネル付きディスプレイ２０６、ＧＰＳ（Global Positioning System）受信部２０７、マイクロフォン２０８、スピーカ２０９を
備える。
【００４６】
メモリ２０２は、揮発性メモリであり、ＣＰＵ  ２０１に作業領域を提供する。外部記憶装置２０３は、不揮発性メモリであり、例えば、フラッシュメモリである。外部記憶装置２０３は、例えば、ＯＳ、ＱＲコード認識アプリケーション、ウェブブラウザ、その他アプリケーション等が格納されている。
【００４７】
タッチパネル付きディスプレイ２０６は、位置入力装置の１つであるタッチパネルがディスプレイの表面に配置されたものである。タッチパネルは、静電容量方式、抵抗膜方式、表面弾性波方式、赤外線方式、電磁誘導方式等のいずれであってもよい。ディスプレイは、例えば、液晶ディスプレイ（Liquid Crystal Display，ＬＣＤ）である。タッチパネル付きディスプレイ２０６は、ＣＰＵ  ２０１から入力される信号に従って、画面データを表示し、ユーザの接触位置の座標をＣＰＵ  ２０１に出力する。
【００４８】
無線通信部２０４は、アンテナと接続しており、アンテナを通じて受信した無線信号を電気信号に変換してＣＰＵ  ２０１に出力したり、ＣＰＵ  ２０１から入力される電気信号を無線信号に変換してアンテナを通じて送信したりする。無線通信部２０４は、例えば、ＷｉＦｉ（Wireless Fidelity）、第３世代移動通信システム、第４世代移動通信シス
テム（ＬＴＥ（Long Term Evolution））、又は、第４世代以上の移動通信システムのう
ちのいずれか１つ又は複数に対応する電子回路である。
【００４９】
ＧＰＳ受信部２０７は、地球の周囲を周回する複数の人工衛星（Global Positioning Satellite）から時刻信号の電波を受信し、ＣＰＵ  ２０１のレジスタに格納する。マイクロフォン２０８は、音声を検出して、ディジタル信号に変換し、ＣＰＵ  ２０１のレジスタに格納する。スピーカ２０９は、ＣＰＵ  ２０１に接続されるＤ／Ａ変換器および増幅器により駆動され、音および音声を含む音響を再生する。
【００５０】
ＣＰＵ  ２０１は、外部記憶装置２０３に格納されるプログラムをメモリ２０２に展開
し、展開された命令を実行することによって様々な処理を行う。ＣＰＵ  ２０１は、１つ備えられてもよいし、複数備えられてもよい。
【００５１】
なお、ユーザ端末２のハードウェア構成は、図３に示されるものに限定されず、適宜、追加、置換、削除等の変更が可能である。例えば、ユーザ端末２は、図３に示される構成に加えて、可搬記録媒体を駆動する可搬記録媒体駆動装置を備えてもよい。可搬記録媒体は、例えば、ＳＤカード、ｍｉｃｒｏＳＤカード等である。また、ユーザ端末２に備えられるプロセッサは、ＣＰＵ  ２０１の１つに限定されず、複数のプロセッサが備えられてもよい。例えば、ユーザ端末２には、ＣＰＵ  ２０１に加えてＧＰＵ（Graphics Processing Unit）が備えられてもよい。
【００５２】
図４は、第１実施形態に係る、ウェブサーバ１、ユーザ端末２、及び、新聞社サーバ３の機能構成の一例を示す図である。第１実施形態に係るユーザ端末２は、閲覧制御部２１、表示制御部２２、コード読み取り部２３を備える。
【００５３】
コード読み取り部２３は、例えば、ユーザ端末２のＣＰＵ  ２０１がＱＲコード認識アプリケーションを実行することによって達成される機能構成要素である。コード読み取り部２３は、カメラ２０５の撮像画像からＱＲコードを検出し、検出されたＱＲコードに対して解析処理を行って、ＱＲコードに含まれるデータを取り出す。取り出されたデータは、例えば、表示制御部２２に出力され、表示制御部２２によってタッチパネル付きディスプレイ２０６に表示される。第１実施形態では、ＱＲコードから取り出されるデータは、閲覧ページのＵＲＬである。
【００５４】
閲覧制御部２１は、例えば、ユーザ端末２のＣＰＵ  ２０１がウェブブラウザを実行することによって達成される機能構成要素である。閲覧制御部２１は、例えば、タッチパネル付きディスプレイ２０６のユーザ操作によって入力されたＵＲＬに対して、アクセスを行い、ウェブサーバ１とＨＴＴＰ（Hypertext Transfer Protocol）通信を行う。例えば
、ウェブサーバ１からウェブページのデータが受信されると、閲覧制御部２１は、当該ウェブページを表示制御部２２に出力する。
【００５５】
表示制御部２２は、タッチパネル付きディスプレイ２０６の表示を制御する。例えば、表示制御部２２は、閲覧制御部２１から入力されるウェブページをタッチパネル付きディスプレイ２０６に表示させる。
【００５６】
次に、ウェブサーバ１は、機能構成要素として、判定部１１、取得部１２、画面生成部１３、データ加工部１４、ユーザ情報データベース（ＤＢ）１５を含む。これらの機能構成要素は、例えば、ウェブサーバ１のＣＰＵ  １０１が写真閲覧制御プログラムを実行することによって実現される機能構成である。
【００５７】
判定部１１は、ユーザ端末２から、新聞の記事に関する写真の閲覧ページへのアクセスを受け付ける。判定部１１は、例えば、当該閲覧ページを表示する前に、ログインページを当該ユーザ端末２に送信する。ユーザ端末２のユーザは、事前に新聞写真閲覧システム１００へユーザ登録をしておくか、ログインページから新規にユーザ登録を行う。ユーザ登録を行うと、例えば、ログイン情報が後述のユーザ情報ＤＢ  １５に登録される。ログイン情報は、例えば、ログイン名、ログインパスワードを含む。
【００５８】
判定部１１は、ユーザ端末２から、当該ユーザ端末２のユーザによってログインページに入力されたログイン情報を受信し、ユーザ認証を行う。ユーザ認証は、ユーザ端末２から受信されたログイン情報と、ユーザ情報ＤＢ  １５に登録されているログイン情報とが一致するか否かを判定することによって行われる。
【００５９】
判定部１１は、ユーザ認証が成功すると、当該ユーザ端末２のユーザが信用できるか否かを判定し、信用できると判定した場合に、該当記事に関連する写真データの閲覧又は購入を許可する。第１実施形態では、判定部１１は、ユーザ登録されている各ユーザのポイントに応じて、ユーザ端末２のユーザが信用できるか否かを判定する。ユーザのポイントは、後述のユーザ情報ＤＢ  １５に格納されている。第１実施形態では、ポイント数が高いほど該当ユーザの信用度が高いこととする。ユーザのポイントは、例えば、個人情報の登録状況、ログイン回数、定期購読者である否か、等のパラメータによって変動する。ユーザのポイントの詳細は後述される。
【００６０】
第１実施形態では、判定部１１は、該当記事に関連する写真データの閲覧の条件を、ユーザのポイントが閾値１以上であることとする。また、判定部１１は、該当記事に関連する写真データの購入の条件を、ユーザのポイントが閾値２以上であることとする。閾値２は閾値１以上の値である。
【００６１】
判定部１１は、ユーザ端末２から新聞の記事に関する写真データの閲覧ページへのアクセスを受けた場合に、当該ユーザ端末２のユーザのポイントが閾値１以上であるか否かを判定する。当該ユーザ端末２のユーザのポイントが閾値１以上である場合に、判定部１１は、新聞の記事に関する写真データの閲覧を許可する。当該ユーザ端末２のユーザのポイントが閾値１未満である場合に、判定部１１は、新聞の記事に関する写真データの閲覧を拒否する。
【００６２】
判定部１１は、ユーザ端末２のユーザについて、該当記事に関連する写真データの閲覧を許可した場合に、取得部１２に、新聞社サーバ３からの該当記事に関連する写真データの取得を依頼する。判定部１１は、画面生成部１３に、取得部１２によって取得された写真データを含む閲覧ページの生成を指示する。判定部１１は、画面生成部１３によって生成された該当記事に関連する写真データの閲覧ページをユーザ端末２へ送信する。
【００６３】
また、判定部１１は、ユーザ端末２から購入要求が受信された場合に、当該ユーザ端末２のユーザのポイントが閾値２以上であるか否かを判定する。当該ユーザ端末２のユーザのポイントが閾値２以上である場合に、判定部１１は、対象の写真データの購入を許可する。当該ユーザ端末２のユーザのポイントが閾値２未満である場合に、判定部１１は、対象の写真データの購入を拒否する。
【００６４】
判定部１１は、ユーザ端末２のユーザについて、対象の写真データの購入を許可した場合に、データ加工部１４に、対象の写真データを頒布不可とする加工を依頼する。判定部１１は、データ加工部１４によって加工された対象の写真データのダウンロードの許可を当該ユーザ端末２へ通知する。なお、判定部１１は、加工後の写真データをユーザ端末２へ送信してもよい。
【００６５】
取得部１２は、判定部１１からの依頼に基づいて、指定された記事の写真データを新聞社サーバ３から取得する。記事の指定は、例えば、ユーザ端末２からアクセスのあった閲覧ページのＵＲＬに含まれる記事識別情報によって行われる。取得部１２は、取得した写真データを、例えば、メモリ１０２に一時的に格納する。取得部１２は、例えば、ユーザ端末２とのセッションが切断された場合、所定時間経過した場合等に、当該取得した写真データをメモリ１０２から削除するようにしてもよい。
【００６６】
画面生成部１３は、判定部１１からの依頼に基づいて、閲覧ページ、購入ページ等のウェブページを生成する。閲覧ページには、取得部１２によって取得された該当する記事の写真データのサムネイル、閲覧ボタン、購入用のチェックボタン、購入ボタン等が含まれ
る。閲覧ボタンは、例えば、閲覧ページに含まれる写真データごとに用意される。ユーザが閲覧ボタンを選択すると、ユーザ端末２から該当写真データについて閲覧要求がウェブサーバ１へ送信される。判定部１１は、当該閲覧要求を受信すると、例えば、データ加工部１４に該当写真データのユーザ端末２への保存を禁止に設定するよう依頼し、加工された写真データをユーザ端末２へ送信する。これによって、ユーザ端末２では写真データを閲覧することができるものの、ユーザ端末２内の記憶装置に保存することはできない。
【００６７】
データ加工部１４は、判定部１１からの依頼に基づいて、写真データを加工する。例えば、データ加工部１４は、閲覧用に、ユーザ端末２の記憶装置に保存できないように写真データを設定する。例えば、写真データのファイルに付属する属性情報に保存不可の設定を行うことによって、ユーザ端末２の記憶装置に保存できないように写真データを設定することができる。ただし、写真データがユーザ端末２の記憶装置に保存できないようにする方法は、特定の方法に限定されず、周知のいずれの方法であってもよい。
【００６８】
また、例えば、データ加工部１４は、購入された写真データを加工し、加工した写真データに頒布不可の設定を行う。写真データの頒布とは、例えば、ユーザ端末２以外の端末及び装置に当該写真データの送信又は転送、コピーすることを禁止することである。
【００６９】
図５は、購入された写真データの加工の一例を示す図である。第１実施形態では、データ加工部１４は、図５に示されるように、新聞社の社名と購入したユーザ（以下、購入ユーザ）の個人情報とを、当該購入された写真データに透かしとして追加する加工を行う。透かしに用いられるユーザの個人情報は、例えば、氏名、ログイン名（ユーザＩＤ）等である。これによって、当該写真データのウェブ上での公開、第３者の装置への送信、転送、又はコピー等の二次的使用において、購入ユーザの個人情報も公開されることになるので、写真データを購入ユーザ自身の当該写真データの二次的使用への意欲を低下させることができる。また、新聞社の社名を透かしとして設定することで、通報先を示すことができ、写真データがウェブ上で公開された場合に、それを見た人からの通報を受けやすくすることができる。なお、購入された写真データに追加される透かしに用いられる情報は、新聞社の社名、購入ユーザの氏名又はログイン名に限定されず、購入ユーザを特定可能な情報であればよい。また、購入された写真データに追加される透かしには、文字だけでなく、図形が用いられてもよい。透かしに用いられる図形には、例えば、新聞社の企業マーク、購入ユーザの顔写真等がある。
【００７０】
図４に戻って、データ加工部１４は、例えば、上記加工後の写真データのファイルに付属する属性情報にコピー不可、送信又は転送不可等の設定を行うことによって、当該写真データを機械的に頒布不可に設定することができる。ただし、写真データを頒布不可に設定する方法は、特定の方法に限定されず、周知のいずれの方法であってもよい。
【００７１】
なお、購入ユーザが、例えば、親族、知人等の信用できる人物に、購入済みの写真データを贈りたいという場合がある。このような場合に応じるため、第１実施形態では、例外として、購入ユーザが指定するユーザについては、当該購入済みの写真データの転送を許可する。なお、本明細書において、「転送」とは、購入した写真データを他のユーザへ送信することを示す。
【００７２】
具体的には、第１実施形態では、購入ユーザと当該購入ユーザが指定するユーザとが、例えば、当該購入ユーザが新聞写真閲覧システム１００と連携させているＳＮＳにおいて、相互に認証していることを条件に、判定部１１は、当該指定されたユーザへの該当する写真データの転送を許可する。指定されたユーザへ購入写真データを転送する方法の一例としては、当該購入済みの写真データ専用のダウンロードページのＵＲＬを含む通知を、指定されたユーザのユーザ端末へ転送し、当該ダウンロードページから当該指定されたユ
ーザのユーザ端末が当該写真データをダウンロードすることが挙げられる。なお、この場合に、指定されたユーザのユーザ端末にダウンロードされる写真データも、購入ユーザの個人情報の透かしの加工と、頒布不可の設定がなされている。
【００７３】
ただし、指定されたユーザへ購入写真データを転送する方法はこれに限定されず、例えば、購入済みの写真データのファイルの属性情報に、当該購入ユーザが新聞写真閲覧システム１００と連携させているＳＮＳにおいて相互に認証しているユーザの情報を付し、当該ユーザへの転送は許可するように設定してもよい。
【００７４】
ユーザ情報ＤＢ  １５は、例えば、ウェブサーバ１の外部記憶装置１０３の記憶領域に作成される。ユーザ情報ＤＢ  １５には、新聞写真閲覧システム１００に登録しているユーザに関するユーザ情報が格納されている。ユーザ情報は、各ユーザについて格納されている。また、ユーザ情報ＤＢ  １５には、ログイン情報テーブル、各ユーザのポイントの算出のための個人情報の登録状況を保持するポイント情報テーブルも格納されている。
【００７５】
ユーザ情報ＤＢ  １５に保持されるユーザ情報には、例えば、ユーザ識別情報、ログイン名、ユーザの個人情報、ポイント数が含まれている。ユーザ識別情報は、ウェブサーバ１がユーザに付与した識別情報である。ログイン名は、ユーザによって指定されたユーザの識別情報である。ユーザの個人情報には、住所、氏名、年齢、性別、顔写真データ、連携可能なＳＮＳにおけるユーザ名、定期購読をしているか否か、等の情報が含まれており、これらの情報の登録はいずれも任意である。ユーザ情報ＤＢ  １５は、「所定の記憶部」の一例である。したがって、ユーザ情報ＤＢ  １５が含まれるウェブサーバ１の外部記憶装置１０３も、「所定の記憶部」の一例である。
【００７６】
ログイン情報テーブルには、各ユーザのログイン名とログインパスワードとの対応付けが格納されている。ログイン情報テーブルは、ユーザ認証時に用いられる。
【００７７】
図６は、ユーザ情報ＤＢ  １５に保持されるポイント情報テーブルの一例である。ポイント情報テーブルは、各ユーザのポイントを算出するためのパラメータの情報が格納されている。図６に示されるポイント情報テーブルには、各ユーザについて、ログイン回数、住所の登録の有無（図中、「住所登録」）、顔写真データの登録の有無（図中、「顔写真登録」）、ＳＮＳとの連携の有無（図中、「ＳＮＳ連携」）、相互認証している人数（図中、「相互認証数」）が含まれている。住所の登録の有無、顔写真データの登録の有無、ＳＮＳとの連携の有無、相互認証している人数は、個人情報の登録状況を示す情報の一例である。
【００７８】
新聞写真閲覧システム１００と連携させるＳＮＳは、例えば、各ユーザが複数のＳＮＳの中から１又は複数選択してもよいし、新聞写真閲覧システム１００が予め所定のＳＮＳを指定していてもよい。相互認証している人数は、例えば、新聞写真閲覧システム１００と連携されているＳＮＳにおいて、相互認証している人数である。例えば、ユーザ情報の一つとして、ＳＮＳのユーザ名が登録された場合に、判定部１１は、当該ＳＮＳにおいて当該ユーザ名で公開されている情報から、相互認証している人数を取得する。
【００７９】
例えば、各項目には、所定の重みが設定されており、各項目の値と重みとの積の合計によって、ポイント数が算出される。例えば、「住所登録」、「顔写真登録」、「ＳＮＳ連携」は、それぞれ、「有」が１、「無」が０となる。各項目の重みは、システム管理者が任意に設定可能である。
【００８０】
例えば、全項目の重みが１である場合には、ユーザＩＤ「Ｕ００１」のユーザのポイント数は、１０（回）×１＋１（住所登録「有」）×１＋０（顔写真登録「無」）×１＋０
（ＳＮＳ連携「無」）×１＋０（相互認証の数）×１＝１１である。ただし、これはポイント算出方法を例示に過ぎず、これに限定されない。例えば、ログイン回数に基づくポイントは、１０回未満は１ポイント、１０回以上１５回未満で２ポイント、…というように、段階的に設定されていてもよい。
【００８１】
判定部１１は、例えば、各ユーザについて、ポイント情報テーブルの項目の値の更新が発生した場合に、ポイント情報テーブルに基づいて、該当するユーザのポイント数を算出し直す。ポイント情報テーブルの項目の値の更新が発生する場合とは、例えば、ユーザが個人情報のいずれかの項目を登録又は削除した場合である。したがって、新たに個人情報のうちの一つでも登録された場合には、ポイント数が加算されることになり、個人情報のうちの一つでも登録が削除された場合にはポイント数は減算されることになる。ただし、ポイントの算出方法は、これに限定されない。例えば、新たに個人情報のうちの一つが登録された場合に、ポイント数が減算され、個人情報のうちの一つの登録が削除された場合にはポイント数が加算されてもよい。例えば、新規ユーザ登録時に所定数のポイントが付与され、顔写真登録がない場合にはマイナス１ポイント、ＳＮＳ連携がない場合にはマイナス１ポイント、というように、減算されてもよい。
【００８２】
なお、ポイントの算出のパラメータは、図６に示されるものに限定されない。例えば、新規ユーザ登録、初回購入等の所定の条件が満たされた場合にはボーナスポイントが付与されてもよい。また、新聞写真閲覧システム１００のサービスが相互認証の機能を備えている場合には、「相互認証の数」の項目には、新聞写真閲覧システム１００のサービスにおいて相互認証している人数が格納されてもよい。
【００８３】
ポイントの算出のパラメータとしては、図６に示されるものの他に、例えば、出身校（小学校、中学校、高等学校、大学それぞれについて）の登録の有無、個人情報登録の際の２段階認証の有無、定期購読契約の継続月数等が用いられてもよい。２段階認証とは、例えば、ウェブページにアクセス中の通信手段（ブラウザ等）とは異なる通信手段によって認証コードを受信し、当該認証コードを当該ウェブページから入力する、という２ステップによって、ユーザを認証する方法である。認証コードの送信には、例えば、携帯電話端末の電話番号を宛先とするＳＭＳ（ショートメールサービス）が利用される。
【００８４】
図４に戻って、新聞社サーバ３は、機能構成要素として、記事情報ＤＢ  ３１、写真ＤＢ  ３２、定期購読者情報ＤＢ  ３３を有する。記事情報ＤＢ  ３１、写真ＤＢ  ３２、定期購読者情報ＤＢ  ３３は、それぞれ、新聞社サーバ３の外部記憶装置の記憶領域内に作成される。
【００８５】
記事情報ＤＢ  ３１には、各記事について、例えば、記事識別情報と、記事データ、関連する掲載された写真データ及び未掲載の写真データの識別情報とが格納されている。写真ＤＢ  ３２には、例えば、新聞に掲載未掲載に拘らず、記事に関する写真データが格納されている。ただし、記事情報ＤＢ  ３１、写真ＤＢ  ３２のデータ構造はこれに限定されない。例えば、ウェブサーバ１の取得部１２は、記事情報ＤＢ  ３１から、ユーザ端末２からアクセスされた閲覧ページのＵＲＬに含まれる記事識別情報に該当する記事に関連する写真データの識別情報を取得し、写真ＤＢ  ３２から、取得した識別情報に該当する写真データを読み出し、取得する。
【００８６】
定期購読者情報ＤＢ  ３３には、新聞の定期購読契約をしているユーザの情報である定期購読者情報が格納されている。定期購読者情報には、氏名、届け先の住所、料金支払方法（例えば、月払い、年払い等）、決済方法（例えば、振り込み、クレジットカード払い等）、定期購読者にのみ通知される情報等の情報が格納されている。定期購読者にのみ通知される情報は、例えば、新聞社サーバ３によって発行される各ユーザＩＤ、合言葉等で
ある。ウェブサーバ１も、定期購読者にのみ通知される情報を保持している。例えば、新規ユーザ登録時に、新聞社サーバ３によって発行されるユーザＩＤや合言葉等の入力がある場合に、ウェブサーバ１の判定部１１は、当該ユーザの個人情報の一つとして定期購読契約中であることをユーザ情報ＤＢ  １５に登録してもよい。例えば、ユーザ端末２から、定期購読契約中であるという個人情報が登録される場合に、判定部１１は、定期購読者にのみ通知される情報の入力を求め、当該ユーザ端末２のユーザが定期購読者であることを確認してもよい。
【００８７】
なお、図４に示されるウェブサーバ１、ユーザ端末２、新聞社サーバ３の機能構成は一例であって、これに限定されない。また、ウェブサーバ１、新聞社サーバ３それぞれの機能構成要素の処理は、１台の装置によって実行されてもよいし、複数台の装置によって分散して実行されてもよい。
【００８８】
＜処理の流れ＞
図７は、第１実施形態に係るウェブサーバ１の、閲覧要求に対する閲覧制御処理のフローチャートである。図７に示される処理は、所定の周期で繰り返し実行される。図７に示される処理の実行主体は、ウェブサーバ１のＣＰＵ  １０１であるが、便宜上、機能構成要素である判定部１１を主体として説明する。
【００８９】
ＯＰ１０１では、判定部１１は、いずれかのユーザ端末２から、閲覧ページのＵＲＬへのアクセスを受信したか否かを判定する。ユーザ端末２から閲覧ページのＵＲＬへのアクセスが受信された場合には（ＯＰ１０１：ＹＥＳ）、処理がＯＰ１０２に進む。ユーザ端末２から閲覧ページのＵＲＬへのアクセスが受信されていない場合には（ＯＰ１０１：ＮＯ）、図７に示される処理が終了する。以降、図７の説明における「ユーザ端末２」は、特に断りの無い限り、ＯＰ１０１で受信されたアクセス元のユーザ端末２であるとする。
【００９０】
ＯＰ１０２では、判定部１１は、ユーザ端末２にログイン画面を送信する。例えば、ログイン画面は予め外部記憶装置１０３に格納されている。ユーザ端末２からログイン情報が受信されると、判定部１１はユーザ認証を行う。ユーザ端末２から新規ユーザ登録の要求を受信した場合には、判定部１１は、新規ユーザ登録画面を送信したり、新規ユーザ登録画面に入力された情報をユーザ情報ＤＢ  １５に登録したりして、新規ユーザ登録に係る処理を行う。新規ユーザ登録が行われた場合には、判定部１１は、再度ログイン画面をユーザ端末２に送信する。
【００９１】
ＯＰ１０３では、判定部１１は、ユーザ端末２のログインが完了したか否かを判定する。ユーザ端末２のログインが完了した場合には（ＯＰ１０３：ＹＥＳ）、処理がＯＰ１０４に進む。例えば、最後にログイン画面を送信してから所定時間経過してもログインが完了しない場合には（ＯＰ１０３：ＮＯ）、図７に示される処理が終了する。
【００９２】
ＯＰ１０４では、判定部１１は、ユーザ端末２のユーザの保有するポイント数をユーザ情報ＤＢ  １５から取得し、ユーザ端末２のユーザの保有するポイント数が閾値１以上であるか否かを判定する。ユーザ端末２のユーザのログイン名は、ログイン時のログイン名から取得され、当該ログイン名をキーとしてユーザ情報ＤＢ  １５が検索され、ユーザ端末２のユーザのポイント数が取得される。
【００９３】
ユーザ端末２のユーザの保有するポイント数が閾値１未満である場合には（ＯＰ１０４：ＮＯ）、判定部１１は、該当記事に関連する写真データの閲覧の拒否を判定し、処理がＯＰ１０５に進む。ＯＰ１０５では、判定部１１は、ユーザ端末２へポイント不足を通知する。その後、処理がＯＰ１１３に進む。
【００９４】
ユーザ端末２のユーザの保有するポイント数が閾値１以上である場合には（ＯＰ１０４：ＹＥＳ）、判定部１１は、該当記事に関連する写真データの閲覧の許可を判定し、処理がＯＰ１０６に進む。ＯＰ１０６では、判定部１１は、閲覧データのＵＲＬから記事識別情報を取得し、取得部１２に写真データの取得を依頼する。取得部１２は、記事識別情報が示す記事に関連する写真データを新聞社サーバ３から取得する。ＯＰ１０６において取得される記事識別情報が示す記事に関連する写真データには、新聞に掲載された写真データと新聞に未掲載の写真データとが含まれる。
【００９５】
ＯＰ１０７では、判定部１１は、画面生成部１３に、閲覧ページの生成を依頼する。画面生成部１３は、例えば、所定のフォーマットに、ＯＰ１０６において取得された写真データのサムネイルを配置して、閲覧ページを生成する。判定部１１は、画面生成部１３によって生成された閲覧ページをユーザ端末２へ送信する。以降、ユーザ端末２における閲覧ページ内における操作によって、個々の写真データの閲覧等が行われるが、個々の写真データの閲覧に係るウェブサーバ１の処理については、図７では省略されている。例えば、ユーザ端末２において１の写真データについて閲覧が選択されると、ユーザ端末２から当該写真データの要求がウェブサーバ１に送信され、判定部１１は、これに対して、データ加工部１４によって、ユーザ端末２の記憶装置への保存の禁止が設定された当該写真データをユーザ端末２へ送信する。
【００９６】
ＯＰ１０８では、判定部１１は、ユーザ端末２から購入要求が受信されたか否かを判定する。ユーザ端末２から購入要求が受信された場合には（ＯＰ１０８：ＹＥＳ）、処理がＯＰ１０９に進む。ユーザ端末２から購入要求が受信されていない場合には（ＯＰ１０８：ＮＯ）、処理がＯＰ１１３に進む。購入要求とともに、購入対象の写真データの識別情報も受信される。
【００９７】
ＯＰ１０９では、判定部１１は、ユーザ端末２のユーザの保有ポイント数は閾値２以上であるか否かを判定する。ユーザ端末２のユーザの保有ポイント数は閾値２未満である場合には（ＯＰ１０９：ＮＯ）、判定部１１は、該当する写真データの購入の拒否を判定し、処理がＯＰ１１２に進む。ＯＰ１１２では、判定部１１は、ユーザ端末２にポイント不足を通知する。その後、処理がＯＰ１１３に進む。
【００９８】
ユーザ端末２のユーザの保有ポイント数は閾値２以上である場合には（ＯＰ１０９：ＹＥＳ）、判定部１１は、該当する写真データの購入の許可を判定し、処理がＯＰ１１０に進む。ＯＰ１１０では、判定部１１は、購入対象の写真データの加工をデータ加工部１４に依頼する。データ加工部１４は、例えば、ユーザ端末２の氏名又はユーザＩＤと新聞社名とを透かしとして購入対象の写真データに設定して加工し、加工後の写真データに頒布不可の設定を行う。
【００９９】
ＯＰ１１１では、判定部１１は、決済処理を行い、例えば、加工後の写真データのダウンロードページのＵＲＬをユーザ端末２に送信する。決済処理では、例えば、判定部１１は、ユーザ端末２のユーザによって指定された決済方法による決済を行う。決済方法が振込である場合には、判定部１１は、振込先の口座番号をユーザ端末２に送信し、当該口座に料金が振り込まれたことを確認してから、加工後の写真データのダウンロードページのＵＲＬをユーザ端末２に送信してもよい。決済方法がクレジットカードである場合には、判定部１１は、当該クレジットカードの決済サーバに決済を依頼し、決済が完了してから、加工後の写真データのダウンロードページのＵＲＬをユーザ端末２に送信してもよい。
【０１００】
ＯＰ１１３では、判定部１１は、ユーザ端末２のログアウト又はユーザ端末２とのセッションの切断が検出されたか否かを判定する。ユーザ端末２のログアウト又はユーザ端末２とのセッションの切断が検出された場合には（ＯＰ１１３：ＹＥＳ）、図７に示される
処理が終了する。ユーザ端末２のログアウト又はユーザ端末２とのセッションの切断が検出されていない場合には（ＯＰ１１３：ＮＯ）、処理がＯＰ１０８に進む。
【０１０１】
なお、図７に示される閲覧処理は、一例であって、これに限定されない。例えば、ＯＰ１０４において、ユーザ端末２のユーザの保有ポイント数が閾値１未満である場合には、新聞に未掲載の写真データの閲覧は禁止しつつも、掲載済みの写真データは閲覧可能としてもよい。ただし、この場合でも、掲載済みの写真データが閲覧される場合には、該写真データにはユーザ端末２の記憶装置への保存を禁止する設定が行われる。
【０１０２】
図８は、第１実施形態に係るウェブサーバ１の、写真データの転送要求に対する転送制御処理のフローチャートである。例えば、新聞の写真データを購入したユーザが、当該購入写真データを信頼のおける人物にも見せたい又は贈りたい場合には、ユーザ端末２において新聞写真閲覧システム１００のクライアント用のアプリケーションに対して、写真データの転送要求の操作を行うことで、ユーザ端末２からウェブサーバ１へ対象の写真データの転送要求が送信される。新聞写真閲覧システム１００のクライアント用のアプリケーションは、ユーザ端末２に予め所定のサイトからダウンロードしてインストールされている。図８に示される処理は、所定の周期で繰り返し実行される。図７に示される処理の実行主体は、ウェブサーバ１のＣＰＵ  １０１であるが、便宜上、機能構成要素である判定部１１を主体として説明する。
【０１０３】
ＯＰ２０１では、判定部１１は、いずれかのユーザ端末２から、転送要求を受信したか否かを判定する。転送要求とともに、転送対象の写真データの識別情報、転送先のユーザに関する情報も受信される。転送先のユーザに関する情報には、例えば、電子メールアドレス、ＳＮＳにおけるユーザ名等の少なくともいずれかが含まれている。
【０１０４】
ユーザ端末２から転送要求が受信された場合には（ＯＰ２０１：ＹＥＳ）、処理がＯＰ２０２に進む。ユーザ端末２から転送要求が受信されていない場合には（ＯＰ２０１：ＮＯ）、図８に示される処理が終了する。以降、図８の説明における「ユーザ端末２」は、特に断りの無い限り、ＯＰ２０１で受信された転送要求の送信元のユーザ端末２であるとする。
【０１０５】
ＯＰ２０２では、判定部１１は、ユーザ端末２のユーザと、転送先のユーザとがＳＮＳにおいて相互に認証しているか否かを判定する。当該判定は、例えば、ユーザ情報ＤＢ  １５に保持されているユーザ端末２のユーザのユーザ情報と、転送先のユーザに関する情報とに基づいて行われる。例えば、まず、判定部１１は、ユーザ端末２のユーザのユーザ情報から、ユーザ端末２のユーザが、新聞写真閲覧システム１００のサービスと所定のＳＮＳとを連携させているか否を特定する。ユーザ端末２のユーザが、新聞写真閲覧システム１００のサービスと所定のＳＮＳとを連携させていない場合には、ＯＰ２０２は否定判定となる。
【０１０６】
ユーザ端末２のユーザが、新聞写真閲覧システム１００のサービスと所定のＳＮＳとを連携させている場合、判定部１１は、ユーザ端末２のユーザの当該ＳＮＳにおけるユーザ名から、当該ＳＮＳにおいて当該ユーザが公開している情報を取得する。判定部１１は、取得した情報に、ユーザ端末２のユーザが転送先のユーザを認証していることを示す情報が含まれているか否かを判定する。ユーザ端末２のユーザが転送先のユーザを認証していることを示す情報は、例えば、当該ＳＮＳにおけるユーザ端末２のユーザの友達リスト内に含まれる当該ＳＮＳにおけるユーザ名である。判定部１１は、同様の処理を、転送先のユーザについても行う、すなわち、当該ＳＮＳにおいて転送先のユーザが公開している情報を取得し、転送先のユーザがユーザ端末２のユーザを認証していることを示す情報が含まれているか否かを判定する。
【０１０７】
ユーザ端末２のユーザと、転送先のユーザとがＳＮＳにおいて相互に認証している場合には（ＯＰ２０２：ＹＥＳ）、判定部１１は、転送先のユーザへの対象の写真データの転送の許可を判定し、処理がＯＰ２０３に進む。ＯＰ２０３では、判定部１１は、対象の写真データのダウンロードページのＵＲＬを生成し、当該ＵＲＬを転送先のユーザに関する情報によって示される転送先へ送信する。例えば、判定部１１は、該当するＳＮＳのサーバに当該ＵＲＬを含むメッセージを送信し、当該ＳＮＳのサーバによって、当該ＳＮＳにおいて転送先のユーザが連絡先として設定している電子メールアドレスに当該メッセージが送信される。ＯＰ２０４では、判定部１１は、ユーザ端末２へ転送完了通知を送信する。その後、図８に示される処理が終了する。
【０１０８】
ユーザ端末２のユーザと、転送先のユーザとがＳＮＳにおいて相互に認証していない場合には（ＯＰ２０２：ＮＯ）、判定部１１は、転送先のユーザへの対象の写真データの転送の拒否を判定し、処理がＯＰ２０５に進む。ＯＰ２０５では、判定部１１は、ユーザ端末２へエラーメッセージを送信する。その後、図８に示される処理が終了する。
【０１０９】
なお、図８に示される転送制御処理は一例であって、これに限定されない。例えば、写真データの転送の可否判定の条件は、所定のＳＮＳにおける相互認証の有無に限定されない。例えば、新聞写真閲覧システム１００のサービス自体に、ユーザ同士の相互認証の機能がある場合には、写真データの転送の可否判定の条件は、新聞写真閲覧システム１００のサービスにおける相互認証の有無であってもよい。写真データの転送の可否判定の条件は、例えば、転送先のユーザが当該新聞の定期購読者であるか否かであってもよい。また、例えば、インターネット上に公開されているあらゆる情報から人間関係を収集するサーバから取得されるユーザ端末２のユーザと転送先のユーザとの関係が所定の関係（例えば、親族、同僚、同級生、近隣に住んでいる等）であることであってもよい。
【０１１０】
＜第１実施形態の作用効果＞
第１実施形態によれば、例えば、ユーザは、ユーザ端末２によって、新聞の表示欄に表示されるＱＲコードを読み込むことで、当該表示欄に含まれる記事に関連する写真データの閲覧ページにアクセスすることができる。当該閲覧ページでは、当該記事に関連する、新聞に、未掲載の写真データを閲覧又は購入することができる。新聞社は、１つの記事について掲載される写真よりも数多くの写真を撮影していることが多いものの、未掲載の写真を公開する機会は少なかったが、第１実施形態によって、未掲載の写真を公開する機会を得ることができ、さらに販売することで、新たなビジネスを展開することができる。一方、ユーザ側は、例えば、新聞に掲載された写真に関連する、未掲載の写真データを閲覧し、欲しいものは購入することができる。
【０１１１】
また、第１実施形態では、ユーザ端末２のユーザの信用度を示すポイントが閾値を満たしていない場合には、閲覧又は購入することができない。これによって、信用度の低い人物に、新聞に未掲載の写真データが取得されることを抑制でき、引いては、当該写真データの不正利用を抑制することができる。
【０１１２】
また、ポイントは、ユーザの個人情報の登録状況に応じて決定される。例えば、登録される個人情報が多ければ多いほどポイント数が多くなる。個人情報がより多く登録されることによって、ユーザを特定できる可能性が上昇するので、当該ユーザが写真データを悪用する意欲を低下させることができる。すなわち、個人情報が多く登録されるほどポイントがより多く付与されることによって、個人情報の登録を促し、写真データの悪用を抑制することができる。
【０１１３】
また、ポイントは、新聞写真閲覧システム１００のサービスと連携されているＳＮＳに
おける相互認証している人数によって決定される。相互認証している人が多いほど、当該ユーザに対する社会的信用度も高いとみなすことができるため、ＳＮＳにおいて相互認証している人数が多いほどポイントを多く付与することによって、新聞写真閲覧システム１００のサービスにおいても、当該ユーザの社会的信用度を反映させることができる。
【０１１４】
また、第１実施形態では、閲覧の際には、写真データにユーザ端末２に保存できないように設定が施される。また、購入の際には、写真データにユーザ端末２の個人情報の透かしが設定され、さらに、頒布不可に設定される。これによって、写真データの頒布や不正利用を抑制することができる。また、例えば、閲覧又は購入される写真データに、ユーザ端末２のユーザとは無関係の人物が写っている場合でも、当該人物のプライバシーを守ることができる。
【０１１５】
＜変形例＞
第１実施形態では、新聞の記事に関する写真データの閲覧及び購入は、ユーザの保有ポイントが所定の閾値を満たしていることが条件である。これに代えて、記事に関連する地域内に居住するユーザであることを条件としてもよい。
【０１１６】
この場合には、判定部１１は、例えば、取得部１２によって、対象の記事のコンテンツを新聞社サーバ３の記事情報ＤＢ  ３１から取得し、記事のコンテンツから地名、建物名等を抽出して、記事に関連する地域を特定してもよい。または、新聞社サーバ３の記事情報ＤＢ  ３１に、各記事について、例えば、記事識別情報と、記事データ、関連する掲載された写真データ及び未掲載の写真データの識別情報と、記事に関連する地域の情報と対応付けて格納されるようにしてもよい。
【０１１７】
ユーザの住所は、ユーザ情報ＤＢ  １５においてユーザの個人情報の一つとして登録されているものが使用されてもよいし、ユーザが定期購読者である場合には、定期購読者情報ＤＢ  ３３に登録されているものが使用されてもよい。定期購読者情報ＤＢ  ３３に登録されている住所は、実際に新聞の送付先として用いられているものであるので、より信ぴょう性が高い。
【０１１８】
図９は、変形例に係るウェブサーバ１の、閲覧要求に対する閲覧制御処理のフローチャートである。図９に示される処理は、変形例において、第１実施形態における図７に示される処理の代わりに行われる処理である。そのため、図７に示される処理と同様の処理には同じ符号が付されている。
【０１１９】
図９では、判定部１１は、ユーザ端末２から閲覧ページのＵＲＬへのアクセスを受けると（ＯＰ１０１：ＹＥＳ）、ユーザ端末２ヘログイン画面を送信し（ＯＰ１０２）、ユーザ端末２のログイン完了を確認する（ＯＰ１０３：ＹＥＳ）。
【０１２０】
ＯＰ３０１では、判定部１１は、対象の記事に関連する地域を取得する。例えば、判定部１１は、取得部１２に依頼して、当該閲覧ページのＵＲＬに含まれる記事識別情報に対応する記事のコンテンツデータ又は記事に関連する地域の情報を、新聞社サーバ３から取得する。記事のコンテンツデータが取得される場合には、判定部１１は、当該コンテンツデータから、地域名、建物名等を抽出し、対象の記事に関連する地域を特定する。
【０１２１】
ＯＰ３０２では、判定部１１は、ユーザ端末２のユーザの住所が対象の記事に関連する地域内であるか否かを判定する。ユーザ端末２のユーザの住所が対象の記事に関連する地域内である場合には（ＯＰ３０２：ＹＥＳ）、判定部１１は、対象の記事に関連する写真データの閲覧の許可を判定し、処理がＯＰ１０６に進む。ユーザ端末２のユーザの住所が対象の記事に関連する地域内でない場合には（ＯＰ３０２：ＮＯ）、判定部１１は、対象
の記事に関連する写真データの閲覧の拒否を判定し、図９に示される処理が終了する。
【０１２２】
以降、判定部１１は、取得部１２に対象の記事に関連する写真データの取得を依頼し（ＯＰ１０６）、画面生成部１３に閲覧ページの生成を依頼して、生成された閲覧ページをユーザ端末２へ送信する（ＯＰ１０７）。ユーザ端末２から購入要求が受信された場合には（ＯＰ１０８：ＹＥＳ）、変形例では、判定部１１は購入の可否の判定をせず、データ加工部１４によって加工された写真データをユーザ端末２へ送信する（ＯＰ１１０、ＯＰ１１１）。
【０１２３】
変形例では、記事の対象地域にユーザが居住する場合に限定して、当該記事に関連する写真データの閲覧及び購入を許可する。例えば、小学校の運動会の記事であれば、当該小学校の学区内に居住するユーザのみが、運動会の写真データを閲覧及び購入可能となり、それ以外の地域のユーザは閲覧及び購入できない。記事に関連する地域が局所的である場合には、当該記事に関連する写真データを閲覧又は購入したいユーザも記事に関連する地域に集中して存在する可能性が高い。反対に記事の対象地域外に居住するユーザが当該記事に関連する写真データを閲覧又は購入したいという場合には、当該ユーザが悪意のあるユーザである可能性がある。したがって、記事の対象地域にユーザが居住することを条件に当該記事に関連する写真データの閲覧及び購入を許可することによって、悪意のあるユーザによる当該写真データの閲覧及び購入を抑制することができる。
【０１２４】
なお、本変形例では、記事に関連する写真データの閲覧及び購入の許可の条件は同じであるが、これに限定されず、記事に関連する写真データの閲覧及び購入の許可の条件は異なっていてもよい。例えば、記事に関連する写真データの閲覧は、ユーザの保有ポイントが所定の閾値を満たすことを条件とし、購入は記事の対象地域にユーザが居住していることを条件としてもよい。
【０１２５】
＜その他＞
第１実施形態及び変形例では、閲覧ページには、記事に掲載済みの写真データと記事に関連する未掲載の写真データとが含まれるが、これに限定されず、例えば、閲覧ページは、新聞に未掲載の写真データのみが閲覧可能なように構成されてもよい。
【０１２６】
また、第１実施形態及び変形例では、記事に関する写真データ閲覧及び購入の可否が判定されるが、これに限定されず、例えば、閲覧は条件無しで許可されて、購入は所定の条件で可否が判定されてもよい。また、例えば、閲覧は所定の条件で可否が判定されて、購入は、閲覧が許可されていれば条件なしで許可されてもよい。
【０１２７】
第１実施形態では、記事に関する写真データ全体について閲覧及び購入の可否が判定されたが、例えば、写真データ１つ１つについて閲覧及び購入の可否が判定されてもよい。写真データ１つ１つについての閲覧及び購入を許可する条件は、ユーザの保有ポイント、ユーザの住所、その他の要素のいずれであってもよく、特定の方法に限定されない。
【０１２８】
第１実施形態では、閲覧の際に、写真データには、ユーザ端末２への保存を禁止する設定がなされるが、これに加えて、例えば、新聞に未掲載の写真に人物が写っている場合には、新聞に掲載済みの写真に写っている人物以外の人物について、顔にモザイクをかける等の特定できないような状態に加工してもよい。サムネイルについても同様に人物の顔にモザイクをかける等をしてもよい。または、ユーザ情報に顔写真データが登録されている場合には、判定部１１は、対象の記事に関連する写真データに対してユーザの顔写真データを用いて顔抽出処理を行い、当該ユーザの顔写真データと一致する顔が写っている写真データのみを閲覧可能又は購入可能にしてもよい。
【０１２９】
また、写真データを購入する際に、複数の他のユーザにも当該写真データを送信したい場合には、追加料金を支払うことによって、他のユーザにも当該写真データのダウンロードページのＵＲＬが送信されてもよい。この場合には、当該ダウンロードのＵＲＬとともに、認証コード等も送信されてもよい。
【０１３０】
購入された写真データが、例えば、通報によって、インターネット上で公開されていることが判明した場合には、当該写真データの透かしからユーザを特定し、当該ユーザの保有ポイントを減らしてもよい。
【０１３１】
第１実施形態では、定期刊行物として新聞を例に説明されたが、新聞に限定されず、定期刊行物であれば適用可能である。定期刊行物には、例えば、新聞の他に雑誌がある。また、第１実施形態では、写真データの購入についても説明されたが、写真データを無償で取得できるようにしてもよい。購入は、「取得」の一態様である。また、第１実施形態及び変形例では、写真データの閲覧と購入とについて可否が判定されたが、いずれか一方のみの可否が判定されるようにしてもよい。また、第１実施形態及び変形例において説明された技術は、写真データの閲覧のみ又は購入のみを対象とするサービスに適用されてもよい。
【０１３２】
また、第１実施形態で説明された技術は、定期刊行物に限定されず、例えば、登録されたユーザ情報に配送又は配信される刊行物にも適用可能である。この場合の刊行物の態様は、紙媒体に限定されず、データ又はデータが記録された記録媒体であってもよい。データが記録された記録媒体には、例えば、ＣＤ、ＤＶＤ、Ｂｌｕ−ｒａｙ、ＵＳＢメモリ等がある。また、配送先又は配信先を示すユーザ情報は、例えば、住所、電子メールアドレス、ユーザのアカウント等である。刊行物の態様がデータである場合には、当該データに、写真データの閲覧又は購入のためのウェブページのＵＲＬを含むコードも含まれる。当該データがディスプレイに表示された場合に、表示される写真データ又は当該写真データを含む表示欄内に当該コードも表示される。
【０１３３】
また、第１実施形態では、ユーザ情報ＤＢ  １５には、ログイン情報テーブル、図６に示されるようなポイント情報テーブル、ユーザ情報として、ユーザ識別情報、ログイン名、ユーザの個人情報、ポイント数が含まれている。ただし、これに限定されず、例えば、ポイント情報テーブルの情報の一部、ユーザの個人情報、ポイント数等は、ユーザ情報ＤＢ  １５ではなく、新聞写真閲覧システム１００外の第三者の信用機関（例えば、情報銀行等）が保持していてもよい。この場合には、当該第三者の信用機関が保持する上記情報を記憶する記憶部が「所定の記憶部」の一例となる。また、この場合には、ウェブサーバ１は、必要なときに、当該第三者の信用機関からユーザが許可した部分について個人情報の提供を受けるようにしてもよい。また、ポイント数は、予め算出されて保持されていなくともよい。ポイント数が用いられる際に、ポイント情報テーブルから算出されてもよい。
【符号の説明】
【０１３４】
１      ：ウェブサーバ
２      ：ユーザ端末
３      ：新聞社サーバ
５      ：新聞
１１    ：判定部
１２    ：取得部
１３    ：画面生成部
１４    ：データ加工部
２１    ：閲覧制御部
２２    ：表示制御部
２３    ：コード読み取り部
５４    ：ＱＲコード
１００  ：新聞写真閲覧システム
１０２  ：メモリ
１０３  ：外部記憶装置
１０４  ：通信部
【図１】
2020119208.tif 000003
【図２】
2020119208.tif 000004
【図３】
2020119208.tif 000005
【図４】
2020119208.tif 000006
【図５】
2020119208.tif 000007
【図６】
2020119208.tif 000008
【図７】
2020119208.tif 000009
【図８】
2020119208.tif 000010
【図９】
2020119208.tif 000011